(57)【特許請求の範囲】
【請求項１】
照明用電源と、停電用バッテリーと、この停電用バッテリーあるいは前記照明用電源の出力が選択的に供給される複数のＬＥＤからなる照明ユニットと、前記照明用電源を監視し、前記照明用電源が停電となったことを検出したとき、前記照明ユニットに前記停電用バッテリーの出力を供給する停電検出切替回路と、を備え、前記照明ユニットは、前記照明用電源からの電力が供給されている場合には、前記複数のＬＥＤが点灯し、前記停電用バッテリーの出力が供給されている場合には、前記複数のＬＥＤのうちの一部のＬＥＤが点灯するように構成し、
前記照明ユニットは、前記照明用電源からの出力あるいは前記停電用バッテリーの出力が供給される共用電源受け口と、この共用電源受け口の端子間にツェナーダイオードを介して直列に接続された複数個のＬＥＤ素子からなる第１の直列回路と、この第１の直列回路に並列に接続された、定電流ダイオード及びＬＥＤ素子からなる第２の直列回路と、を備え、前記第２の直列回路に接続されたＬＥＤ素子の個数は前記第１の直列回路に接続されたＬＥＤ素子の個数よりも少なく設定され、前記ツェナーダイオードのツェナー電圧は、前記照明用電源の出力電圧より低く、前記停電用バッテリーの出力電圧より高く設定されていることを特徴とするエレベータのかご室内照明装置。
【請求項２】
前記定電流ダイオードは、前記第２の直列回路に供給される電流をこの回路に接続されたＬＥＤ素子を発光するのに必要な電流値に制限することを特徴とする請求項１記載のエレベータのかご室内照明装置。
【発明の詳細な説明】
【技術分野】
【０００１】
本発明はエレベータのかご室内照明装置に関し、特に、停電灯機能を兼ね備えた照明装置に関する。
【背景技術】
【０００２】
従来エレベータのかご室内照明装置は、通常使用時の照明ユニットと、停電時の停電灯とを備え、それぞれ別の電源から切り換え給電するように構成されていた。すなわち、通常使用時のかご室内の照明ユニットに電力を供給する電源は、この電源が停電となった場合、これを検出する回路が作動して、停電用のバッテリーからの電力を停電灯に供給して、停電灯を点灯している。
【先行技術文献】
【特許文献】
【０００３】
【特許文献１】特開２００４−２９２１１６号公報
【発明の概要】
【発明が解決しようとする課題】
【０００４】
従来のエレベータのかご室内照明装置は、通常時のかご室内照明ユニットの他に停電時の停電灯を設ける必要があり、また、それらの駆動用の電源も別個に設ける必要があった。このため、装置の設置あるいは保守点検作業が複雑化し多くの時間と労力を要ししていた。
【０００５】
本発明はかかる従来の照明装置の問題点を改善し、簡単な装置により、通常時の照明および停電時の照明を可能とするかご室内照明装置を提供することを目的とするものである。
【課題を解決するための手段】
【０００６】
上記課題を解決するために、本発明は、照明用電源と、停電用バッテリーと、この停電用バッテリーあるいは前記照明用電源の出力が選択的に供給される複数のＬＥＤからなる照明ユニットと、前記照明用電源を監視し、前記照明用電源が停電となったことを検出したとき、前記照明ユニットに前記停電用バッテリーの出力を供給する停電検出切替回路と、を備え、前記照明ユニットは、前記照明用電源からの電力が供給されている場合には、前記複数のＬＥＤが点灯し、前記停電用バッテリーの出力が供給されている場合には、前記複数のＬＥＤのうちの一部のＬＥＤが点灯するように構成し、前記照明ユニットは、前記照明用電源からの出力あるいは前記停電用バッテリーの出力が供給される共用電源受け口と、この共用電源受け口の端子間にツェナーダイオードを介して直列に接続された複数個のＬＥＤ素子からなる第１の直列回路と、この第１の直列回路に並列に接続された、定電流ダイオード及びＬＥＤ素子からなる第２の直列回路と、を備え、前記第２の直列回路に接続されたＬＥＤ素子の個数は前記第１の直列回路に接続されたＬＥＤ素子の個数よりも少なく設定され、前記ツェナーダイオードのツェナー電圧は、前記照明用電源の出力電圧より低く、前記停電用バッテリーの出力電圧より高く設定されていることを特徴とするエレベータのかご室内照明装置を提供するものである。
【図面の簡単な説明】
【０００７】
【図１】本発明の第１の実施形態に係るエレベータのかご室内照明装置の構成を示すブロック図である。
【図２】図１に示す照明ユニットの構成を示す回路図である。
【図３】本発明の第２の実施形態に係るエレベータのかご室内照明装置の構成を示すブロック図である。
【図４】図３に示す照明ユニットの構成を示す回路図である。
【発明を実施するための形態】
【０００８】
以下、本発明の実施形態について図面を用いて説明する。
【０００９】
本発明の第１の実施形態に係るエレベータのかご室内照明装置は、図１のブロック図に示すような構成を有している。すなわち、エレベータの制御盤１から例えば１００Ｖの交流電源がエレベータのかご室２内に設置された照明用電源３に供給される。この照明用電源３は、たとえば１００Ｖの交流電源を所定の電圧例えば２４Ｖの直流電源に変換する直流電源であり、この照明用電源３にはこれにより点灯される照明ユニット４が接続されている。かご室２内には、また、制御盤１から照明用電源３への電源の供給を監視する検出切替回路５および停電バッテリー６が設けられている。この停電バッテリー６は例えば６Ｖの直流を供給する電池である。検出切替回路４は、照明電源３に供給される電源が停電した際に停電バッテリー６の出力を照明用電源３に供給する電力供給の切り替え機能も備えている。
【００１０】
図２は、照明ユニット４の構成を示す回路図である。
【００１１】
照明ユニット４は、照明用電源受け口４３a及び停電バッテリー受け口４３ｂを備えている。照明用電源受け口４３ａの一対の端子間には照明用制限抵抗４１ａ、複数個の照明用ＬＥＤ４２ａと１個の停電灯兼用ＬＥＤ４２ｂが同じ極性で直列に接続されている。また、停電バッテリー受け口４３ｂの一対の端子間には、停電用制限抵抗４１ｂに、１個の停電灯兼用ＬＥＤ４２ｂが直列に接続されている。ここで、停電灯兼用ＬＥＤ４２ｂは前述のように、照明用ＬＥＤ４２ａに直列接続された素子である。  
このように構成されたエレベータのかご室内照明装置の動作を説明する。
【００１２】
照明装置の通常の動作状態においては、図１に示されるように、エレベータの制御盤１から例えば１００Ｖの交流がエレベータのかご室２内に設置された照明用電源３に供給される。この照明用電源３は、供給された交流電源を照明ユニット４を駆動するために必要な電圧、例えば２４Ｖの直流に変換して照明ユニット４の照明用電源受け口４３ａに供給する。
【００１３】
照明ユニット４は、通常動作においては照明用電源受け口４３ａに照明用電源３から電源が供給され、停電バッテリー受け口４３ａには停電バッテリー６からの電源は供給されていない。通常時、照明ユニット４の照明用電源受け口４３ａには照明用電源３からの電源が供給されているため、この電源からの電流は照明用制限抵抗４１ａを介して直列に接続された照明用ＬＥＤ４２ａおよび停電灯兼用ＬＥＤ４２ｂに供給され、これらのＬＥＤ素子を全て点灯する。これによって、かご室室内に十分な明るさを提供することができる。すなわち、照明用電源３には十分な電力容量があり、直列に接続された複数個の照明用ＬＥＤ４２ａおよび停電灯兼用ＬＥＤ４２ｂを発光させ、これによってかご室２内において明るい照明、通常のエレベータの運転に必要な照度による照明を実現できる。
【００１４】
次に、図１に示したように、制御盤１から照明用電源３への電源の供給状態は検出切替回路５により常時監視されている。従って、何らかの原因により、制御盤１から照明用電源３への電源の供給が停止し、いわゆる停電が生ずると、検出切替回路５がこの状態を検出する。そして検出切替回路５は、それまでは供給が停止されていた停電バッテリー６の出力、例えば６Ｖの直流を図２に示す照明ユニット４の停電バッテリー受け口４３ａに供給する。
【００１５】
照明用電源受け口４３ａに照明用電源３から電源が供給されず、停電バッテリー受け口４３ｂに停電バッテリー６から電流が供給されると、停電バッテリー受け口４３ｂから停電用制限抵抗４１ｂを介して停電灯兼用ＬＥＤ４２ｂのみに電流が流れ、停電灯兼用ＬＥＤ５２ｂのみが点灯する。すなわち、複数個の照明用ＬＥＤ４２ａは停電バッテリー受け口４３ｂから供給される直流電流に対しては、閉回路が形成されず、また、停電バッテリー６からの電流に対しては、ダイオードであるＬＥＤ素子の極性が逆極性となるため、発光しない。従って、停電灯兼用ＬＥＤ４２ｂのみの点灯により、消費電力を抑えながらかご室２内に最低必要な明るさを提供することができる。
【００１６】
このように、この実施形態においては、エレベータのかご室２内を照明する照明ユニット４として、複数個のＬＥＤ素子を用い、通常動作時においては、これらのＬＥＤ素子を全て点灯させることにより必要な照度を得るとともに、停電時においては、照明ユニット４として用いられる複数個のＬＥＤ素子の一部を停電バッテリー６により点灯する。このため、照明ユニットを通常時の照明と停電時の照明である停電灯としても共用することができ、従来のように、停電灯を別に設置する必要はない。従って、かご室内照明装置が簡素化され、設置工事あるいはその後の保守点検作業が容易になる他、かご室内照明装置の意匠性も向上させることができる。
【００１７】
また、この実施形態においては、照明ユニットの通常時の照明から停電時の照明への切り替えは、検出切替回路により自動的に行われ、エレベータの制御回路などの外部からの制御信号により切り替える必要はない。
【００１８】
なお、図２の照明ユニット４回路においては、照明用ＬＥＤ４２ａと停電灯兼用ＬＥＤ４２ｂが設けられたが、これらはＬＥＤとしての機能においては同じであり、説明の都合上区別しているに過ぎない。また、照明用ＬＥＤ４２ａが複数個接続され、停電灯兼用ＬＥＤ４２ｂは１個のみ接続されているが、これはあくまでも例示であり、複数個の停電灯兼用ＬＥＤ４２ｂ設けても良い。この場合、照明用ＬＥＤ４２ａあるいは停電灯兼用ＬＥＤ４２ｂの個数は、合計個数のＬＥＤ素子による照度がかご室２内に必要な照度を提供でき、また、停電灯兼用ＬＥＤ４２ｂ素子のみによる照度が停電時にかご室２内を照明するに必要な照度を提供できれば、それぞれの個数はどのように選定しても良い。
【００１９】
また、図２の照明ユニット４回路における照明用制限抵抗４１ａ、停電用制限抵抗４１ｂは、それぞれ、定電流回路、定電流ダイオード等との置き換えが可能である。
【００２０】
図３は、本発明の第２の実施形態に係るエレベータのかご室内照明装置の構成を示すブロック図であり、図４は図３に示す照明ユニットの構成を示す回路図である。本発明の第２の実施形態に係るエレベータのかご室内照明装置の構成は、図１に示した第１の実施形態に係るエレベータのかご室内照明装置の構成と一部を除いて同一である。したがって、図３においては、図１に示した構成要素と同一の構成要素には同一の符号を付し、以下の説明ではそれらの詳細な説明は重複を避けるため省略し、異なる部分について説明する。
【００２１】
先ず、全体構成上の相違点について説明する。  
第１の実施形態に係るかご室内照明装置においては、図１に示したように、照明ユニット４は、照明用電源受け口４３a及び停電バッテリー受け口４３ｂを備えていたが、第２の実施形態に係るかご室内照明装置においては、後述するように、照明ユニット７は、単一の入力端子である共用電源受け口を備え、この共用電源受け口に照明用電源３および停電バッテリー６からの電源が切り替え供給される点が異なっている。すなわち、図３に示すように、照明用電源３および停電バッテリー６の出力線路は、照明ユニット７の入力端に共通に接続されている。このように構成されたかご室内照明装置においては、通常動作時には照明用電源３からの出力は照明ユニット７に供給されるが、停電バッテリー６の出力は供給されない。そして停電時には、第１の実施形態と同様に、検出切替回路５により停電状態が検出され、停電バッテリー６の出力が照明ユニット７に供給される。
【００２２】
次に、照明ユニット７の具体的な回路構成について、図４により詳細に説明する。
【００２３】
照明ユニット７は、照明用電源、停電バッテリー共用の電源受け口５３を備えている。共用電源受け口５３には、ツェナーダイオード５４、照明用制限抵抗５１ａ、複数個の照明用ＬＥＤ５２ａが直列接続されている。また、この第１の直列接続回路と並列に、定電流ダイオード５１ｃおよび停電灯兼用ＬＥＤ５２ｂからなる第２の直列接続回路が接続されている。ツェナーダイオード５４は、共用電源受け口５３の端子間電圧が所定のツェナー電圧より高い場合には導通し、ツェナー電圧以下になると非導通となる。ここで、照明用電源３から供給される出力電圧は停電バッテリー６から供給される出力電圧より高く設定されている。例えば、前述したように、照明用電源３から供給される出力電圧は２４Ｖであり、停電バッテリー６から供給される出力電圧は６Ｖである。したがって、ツェナーダイオード５４は、照明用電源３の出力電圧に対しては導通状態となり、停電バッテリー６電源の出力電圧に対しては非導通となるようなツェナー電圧、例えば１０Ｖを有する素子が選定される。また、定電流ダイオード５１ｃは、共用電源受け口５３に照明用電源３あるいは停電バッテリー６の出力が供給されたとき、停電灯兼用ＬＥＤ５２ｂの点灯に必要な電流は流し、必要以上の電流が流れないような電流制限機能を備えている。
【００２４】
このように構成された照明ユニット７の動作は次の通りである。
【００２５】
照明ユニット７の通常の動作においては、共用電源受け口５３には照明用電源３からの出力電圧が供給されている。この結果、ツェナーダイオード５４は導通状態となり、共用電源受け口５３に供給された電流は複数個の照明用ＬＥＤ５２ａに供給され、これらの照明用ＬＥＤ５２ａが点灯する。また、共用電源受け口５３に供給された電流は、定電流ダイオード５１ｃにより電流を制限されつつ停電灯兼用ＬＥＤ５２ｂに流れ、停電灯兼用ＬＥＤ５２ｂが点灯する。
【００２６】
次に停電時においては、共用電源受け口５３には停電バッテリー６から電源の供給を受ける。この場合には、共用電源受け口５３に供給される電圧はツェナーダイオード５４のツェナー電圧よりも低い電圧となり、ツェナーダイオード５４は非導通状態となる。この結果、照明用ＬＥＤ５２ａには電流が供給されないため、複数個の照明用ＬＥＤ５２ａは不点灯となる。しかし、共用電源受け口５３に供給される停電バッテリー６からの電流は、定電流ダイオード５１ｂによって制限されるが停電灯兼用ＬＥＤ５２ｂに供給され、これを点灯させる。
【００２７】
このように、第２の実施形態に係るかご室内照明装置においても、照明ユニットを停電灯としても利用することができ、停電灯を別に設置する必要はない。従って、かご室内照明装置が簡素化され、設置工事あるいはその後の保守点検作業が容易になる他、かご室内照明装置の意匠性も向上させることができる。
【００２８】
また、この実施形態においては、照明ユニットの通常時の照明から停電時の照明への切り替えは、検出切替回路により自動的に行われ、エレベータの制御回路などの外部からの制御信号により切り替える必要はない。さらに、この実施形態においては、照明ユニット７は単一の共用受け口を備え、共用受け口に入力される電源の電圧を変えることにより、自動的に照明ユニット７の点灯状態を変更することが可能となり、照明ユニット７の回路構成をより簡素化することができる。
【００２９】
なお、図４の照明ユニット７においては、照明用ＬＥＤ５２ａと停電灯兼用ＬＥＤ５２ｂが設けられたが、第１の実施形態と同様に、これらはＬＥＤとしての機能においては同じであり、説明の都合上区別しているに過ぎない。また、照明用ＬＥＤ５２ａが複数個接続され、停電灯兼用ＬＥＤ５２ｂは１個のみ接続されているが、これに限定されるものでないことは実施形態１と同様である。照明用ＬＥＤ５２ａあるいは停電灯兼用ＬＥＤ５２ｂの個数は、第１の実施形態と同様に、合計個数のＬＥＤ素子による照度がかご室２内に必要な照度を提供でき、また、停電灯兼用ＬＥＤ５２ｂ素子のみによる照度が停電時にかご室２内を照明するに必要な照度を提供できるように選定すれば、それぞれの個数はどのように選定しても良い。
【００３０】
なお、照明用制限抵抗５１ａは、それぞれ、定電流回路、定電流ダイオード等との置き換えが可能である。
【００３１】
以上説明した各実施形態に係るエレベータのかご室内照明装置は、次のような特徴を有している。
【００３２】
第１に、照明ユニットに停電灯機能を持たせることにより、照明ユニットは点灯状態を標準状態と停電灯状態の２種類の動作状態を有する。第２に、照明ユニットは２種類の電源入力に対して２個の受け口を持ち、各電源入力に対して、外部からの制御信号の入力無しに点灯状態を変化させることが可能である。第３に、照明ユニットは、通常照明灯と停電灯で使用するＬＥＤ素子を一部共有している。第４に、照明ユニットは、２種類の電源入力に対して共用の受け口を持ち、各電源入力に対して外部からの制御信号の入力無しに点灯状態を変化させることが可能である。
【００３３】
本発明は上述した実施形態に限定されるものではなく、本発明の技術的思想の範囲内において種々の変形が可能である。例えば、検出切替回路４は、エレベータのかご室内に設ける代わりに、エレベータの制御板１内あるいは照明用電源３内に組み込んでも同様の動作をさせることが可能である。また、検出切替回路４は、検出回路と切り換え回路とを別に設けてもよい。さらに停電バッテリー６は照明用電源３内に組み込まれていても同様の動作をさせることが可能である。
【符号の説明】
【００３４】
1  制御盤
2  かご室
3  照明用電源
4、７  照明ユニット
5  検出切替回路
6  停電バッテリー
４１ａ  照明用制限抵抗
４１ｂ  停電用制限抵抗
４２ａ、５２ａ  照明用ＬＥＤ
４２ｂ、５２ｂ  停電灯兼用ＬＥＤ
４３a  照明用電源受け口
４３ｂ  停電バッテリー受け口
５１ａ  照明用制限抵抗
５１ｂ  定電流ダイオード
５３  共用電源受け口
５４  ツェナーダイオード
【図１】
0005615198.tif 000002
【図２】
0005615198.tif 000003
【図３】
0005615198.tif 000004
【図４】
0005615198.tif 000005